(57)【要約】【課題】洗い、すすぎ、脱水の洗濯行程と乾燥行程を備えた洗濯乾燥機において、製品全高を高くすることなく、温風を内槽の中心に向かって送風することにより、衣類に効率よく温風を当て、乾燥効率を高める。【解決手段】外枠１内に支持した外槽３と、回転中心軸を鉛直方向に有し前記外槽３内に回転自在に配設した内槽４と、外槽３の上部に装着した外槽カバー３１と、外槽カバー３１に開閉自在に配設した内蓋１５と、外気を吸気、加熱して内槽４内に温風を送風する温風送風手段と、外槽カバー３１に形成した温風供給口３２とを供え、前記温風供給口３２にはルーバー３４を形成するようにした。【選択図】　図１
2004008546.tif 000002
【特許請求の範囲】
【請求項１】
外枠内に支持した外槽と、回転中心軸を鉛直方向に有し前記外槽内に回転自在に配設した内槽と、前記外槽の上部に装着した外槽カバーと、前記外槽カバーに開閉自在に配設した内蓋と、外気を吸気、加熱して前記内槽内に温風を送風する温風送風手段と、前記外槽カバーに形成した温風供給口とを供え、前記温風供給口にはルーバーを形成するようにした洗濯乾燥機。
【請求項２】
前記ルーバーは、温風供給口と一体で形成するようにした請求項１に記載の洗濯乾燥機。
【請求項３】
前記ルーバーの上部は、温風供給口の側壁部と略平行に形成し、前記ルーバーの下部は、温風供給口の出口部において略傾斜状、または略湾曲状に形成するようにした請求項１または２に記載の洗濯乾燥機。
【請求項４】
前記ルーバーは、上方から見て前記内槽の略中心方向を向くように形成された請求項１〜３のいずれか１項に記載の洗濯乾燥機。
【発明の詳細な説明】
【０００１】
【発明の属する技術分野】
本発明は、洗い、すすぎ、脱水の洗濯行程と乾燥行程を備えた洗濯乾燥機に関するものである。
【０００２】
【従来の技術】
従来、この種の洗濯乾燥機は図４および図５に示すような構成が提案されていた。以下、その構成について説明する。
【０００３】
図４に示すように、外枠１は、内部に複数のサスペンション２によって弾性的に吊り下げた外槽３を設け、脱水時の振動をサスペンション２によって吸収する構成としている。外槽３の内部には、回転中心軸を鉛直方向に有し洗濯物および乾燥対象物を収容する内槽４を脱水軸５を中心に回転可能に配設し、内槽４の内底部に衣類（洗濯物や乾燥対象物）を撹拌する回転翼６を洗濯軸７を中心に回転自在に配設している。
【０００４】
また、内槽４の内部周壁には小孔（図示せず）を多数設けるとともに、上方には流体バランサー８を設けている。回転翼６は外周部に傾斜面９を有する略皿状の基盤の上面に撹拌用突出部１０を形成することにより、乾燥行程においては、乾燥対象物を回転翼６の回転による遠心力で傾斜面９に沿って上方へと舞い上がりやすくしている。
【０００５】
モータ１１は、外槽３の底部に取り付け、洗濯または脱水時に回転力の伝達を洗濯軸７または脱水軸５に切り換えるクラッチ１２と、洗濯軸７または脱水軸５を介して、回転翼６または内槽４に連結している。
【０００６】
外槽３の底部には、外槽３内の水を排水する排水弁１３を設けている。また、外槽３には、その上面を略気密的に覆う外槽カバー１４を設けており、この外槽カバー１４に内蓋１５を開閉自在に設け、衣類を出し入れするようにしている。
【０００７】
乾燥用送風機１６は、その一端は吸気フィルター１７を介して機体外へと通じており、他端は、乾燥用送風機１６とともに温風送風手段を構成するヒータ１８を内部に有する温風供給路１９に接続され、上部蛇腹状ホース２０を介して外槽カバー１４に形成された温風供給口２１に繋がり、内槽４内へ温風が供給されるように構成している。温風供給口２１の下部の一端は、図５に示すように、温風の風向きを変える目的でテーパー状のリブ２２を形成している。
【０００８】
外槽カバー１４には、温風供給口２１から内槽４に供給された温風を排気する排気口２３を形成している。排気口２３の外側にメッシュ状の排気フィルター２４を設けている。
【０００９】
外枠カバー２５は外枠１の上部を覆うもので、外蓋２６を開閉自在に有し、操作表示手段２７を設けるとともに、内槽４に給水する給水弁２８を設けている。
【００１０】
制御装置２９は、マイクロコンピュータを具備し、操作表示手段２７と電気的に接続されるとともに、モータ１１、クラッチ１２、給水弁２８、排水弁１３、乾燥用送風機１６、ヒータ１８などの動作を制御し、洗い、すすぎ、脱水、乾燥の一連の行程を逐次制御するように構成している。
【００１１】
サーミスタ３０は、温風供給路１９から供給される温風の温度を検知するもので、温風供給路１９のヒータ１８と上部蛇腹状ホース２０との間に設けている。制御装置２９は、サーミスタ３０による検知出力を入力し、温風温度が正常な状態かどうかを監視している。
【００１２】
上記構成において動作を説明する。洗い行程では、外蓋２６と内蓋１５を開けて、内槽４に衣類（洗濯物）を投入し運転を開始すると、給水弁２８を開いて所定の水位まで給水した後、モータ１１を駆動する。このとき、伝達機構部のクラッチ１２によりモータ１１の動力が洗濯軸７を介して回転翼６に伝達され、回転翼６が回転することで、回転翼６の撹拌用突出部１０により衣類を撹拌し、洗濯物どうし、または内槽４の内壁や回転翼６との接触により作用する機械力と、水流力により行われる。
【００１３】
脱水行程では、洗濯終了後、排水弁１３を開いて内槽４内の水を排水した後、伝達機構部のクラッチ１２を脱水側に切り換えて、モータ１１の動力が脱水軸５を介して内槽４に伝達され、内槽４が回転することで、衣類に遠心力を与え、水分を衣類から分離することで脱水を行う。脱水行程が終了すると引きつづいて乾燥行程に入る。
【００１４】
乾燥行程に入ると、排水弁１３を閉じるとともにクラッチ１２を洗濯側に切り換える。そしてモータ１１を駆動することにより、回転翼６を正転、反転させて、撹拌用突出部１０で衣類を引っかけて撹拌しながら、乾燥用送風機１６とヒータ１８に通電して温風を温風供給口２１に送る。温風供給口２１から下方に向かって内槽４に吹き込まれた温風は、衣類から水分を蒸発させた後、内槽４の下方から上方に向かって上昇し、外槽カバー１４に形成した排気口２３を通して排気される。
【００１５】
このとき、温風は、排気口２３の外側に設けた排気フィルター２４を介して排気されるため、温風に含まれるリントを回収することができ、機体内にリントが散乱するのを防ぐことができる。
【００１６】
【発明が解決しようとする課題】
しかしながら、このような従来の構成では、衣類の出し入れ用の内蓋１５を有しているため、温風供給口２１の位置は、外槽カバー１４の後方部に限られてしまうので、温風の向きを内槽４の略中央方向に向けるために、テーパー状のリブ２２を大きくしようとしても、そのリブ２２とバランサー８とが干渉してしまうため、リブ２２の高さはおのずと限定されていた。したがって、温風はほとんど真下に流れていき、温風が衣類に当たる前にバランサー８や内槽４に当たり、温風の流れが悪くなり、また、温風が内槽４の小孔から外側に逃げていって衣類に当たらず、乾燥効率を悪くするといった課題を有していた。
【００１７】
また、バランサー８と外槽カバー１４との距離を大きくすれば、温風の向きを内槽４の中心方向に向けることができるが、このとき外槽カバー１４の位置がその分高くなり、さらに温風送風手段の位置も高くなるため、結果的に洗濯乾燥機の製品全高も高くなってしまい、設置性が悪くなるなどの課題を有していた。
【００１８】
本発明は上記課題を解決するもので、製品全高を高くすることなく、温風を内槽の中心に向かって送風することができ、乾燥効率を高くすることを目的としている。
【００１９】
【課題を解決するための手段】
本発明は上記目的を達成するために、外枠内に支持した外槽と、回転中心軸を鉛直方向に有し前記外槽内に回転自在に配設した内槽と、前記外槽の上部に装着した外槽カバーと、前記外槽カバーに開閉自在に配設した内蓋と、外気を吸気、加熱して前記内槽内に温風を送風する温風送風手段と、前記外槽カバーに形成した温風供給口とを供え、前記温風供給口にはルーバーを備えたものである。
【００２０】
これにより、製品全高を高くすることなく、温風を内槽の中心に向かって送風することができ、乾燥効率の高い洗濯乾燥機を実現することができる。
【００２１】
【発明の実施の形態】
本発明の請求項１に記載の発明は、外枠内に支持した外槽と、回転中心軸を鉛直方向に有し前記外槽内に回転自在に配設した内槽と、前記外槽の上部に装着した外槽カバーと、前記外槽カバーに開閉自在に配設した内蓋と、外気を吸気、加熱して前記内槽内に温風を送風する温風送風手段と、前記外槽カバーに形成した温風供給口とを供え、前記温風供給口にはルーバーを形成するようにしたものであり、これにより製品全高を高くすることなく温風の向きを所定の方向に変えることができ、衣類に効率よく温風を当てることができるため、乾燥効率の高い洗濯乾燥機を実現することができる。
【００２２】
請求項２に記載の発明は、上記請求項１に記載の発明において、前記ルーバーは、温風供給口と一体で形成するようにしたものであり、これにより部品点数を増やすことなくルーバーを形成でき、また、ルーバーが外れてしまうといった不具合もないため、信頼性が高く、かつ低コストで温風の向きを変えることができ、衣類に効率よく温風を当てることができるため、乾燥効率の高い洗濯乾燥機を実現することができる。
【００２３】
請求項３に記載の発明は、上記請求項１および２に記載の発明において、前記ルーバーの上部は、温風供給口の側壁部と略平行に形成し、前記ルーバーの下部は、温風供給口の出口部において略傾斜状、または略湾曲状に形成するようにしたものであり、これにより徐々に風向きを変えられるため、圧力損失を極力抑えながら、効率よく温風の向きを変えることができ、衣類に効率よく温風を当てることができるため、乾燥効率の高い洗濯乾燥機を実現することができる。
【００２４】
請求項４に記載の発明は、上記請求項１〜３に記載の発明において、前記ルーバーは、上方から見て前記内槽の略中心方向を向くように形成されたものであり、これにより温風を内槽の略中心に向かって送風することができ、衣類に効率よく温風を当てることができるため、乾燥効率を高い洗濯乾燥機を実現することができる。
【００２５】
【実施例】
以下、本発明の実施例について、図面を参照しながら説明する。なお、従来例と同じ構成のものは同一符号を付して説明を省略する。
【００２６】
（実施例１）
図１〜３に示すように、乾燥用送風機１６は、その一端は吸気フィルター１７を介して機体外へと通じており、他端は、乾燥用送風機１６とともに温風送風手段を構成するヒータ１８を内部に有する温風供給路１９に接続され、上部蛇腹状ホース２０を介して外槽カバー３１に一体で形成された温風供給口３２に繋がり、内槽４内へ温風が供給するように構成している。温風供給口３２には、その上面側には、上方に延びる略円筒状の側壁部３３を設け、その側壁部３３の内部には、ルーバー３４を一体で形成している。
【００２７】
ルーバー３４は、その上部３４ａは、略円筒状の側壁部３３の略円筒の軸方向と略平行に形成され、その下部３４ｂは、略湾曲状をなし、内槽４の径方向に対し、略直角方向に面を形成しているものである。その他の構成は、従来例と同じである。
【００２８】
上記構成において動作を説明する。なお、洗い行程から脱水行程までの動作は従来例の動作と同じであるので説明を省略する。
【００２９】
乾燥行程に入ると、排水弁１３を閉じるとともにクラッチ１２を洗濯側に切り換える。そしてモータ１１を駆動することにより、回転翼６を正転、反転させて、撹拌用突出部１０で衣類を引っかけて撹拌しながら、乾燥用送風機１６とヒータ１８に通電して温風を温風供給口３２に送る。ルーバー３４においては、内槽４の径方向に対し略直角方向に面が形成されているため、温風供給口３２に入った温風は、内槽４の略中心方向に向かい、かつ、下部３４ｂが略湾曲状をなしているため、徐々に風向きが変えられ、風の圧力損失を極力抑えながら、内槽４の上下方向の略中央近傍から回転翼６の中心の近傍にかけて吹き込まれ、衣類に効率よく当てられることとなる。その後、温風は、衣類から水分を蒸発させた後、内槽４の下方から上方に向かって上昇し、外槽カバー３１に形成された排気口２３から排気フィルター２４を通して排気される。
【００３０】
これにより、ルーバー３４は、上部３４ａは温風供給口３２の略円筒状の側壁部３３の略円筒軸方向と略平行で、下部３４ｂは略湾曲状に形成しているため、風の圧力損失を極力抑えながら、効率よく温風を内槽の中心に向かって送風することができ、衣類に効率よく温風を当てることができ、乾燥効率の高い洗濯乾燥機を実現することができる。
【００３１】
また、ルーバー３４は、温風供給口３２と一体で形成しているため、これにより部品点数を増やすことなくルーバーを形成でき、また、ルーバーが外れてしまうといった不具合もないため、信頼性が高く、かつ低コストで温風の向きを変えることができる洗濯乾燥機を実現することができる。
【００３２】
さらに、バランサー８と外槽カバー３１との距離を大きく取らずに温風の向きを内槽４の中心方向に向けることができるため、温風送風手段の位置も高くすることなく、結果的に洗濯乾燥機の製品全高を高くすることもないため、設置性が向上する洗濯乾燥機を実現することができる。
【００３３】
なお、本実施例においては、ルーバー３４の下部３４ｂは、湾曲形状としたが、略傾斜状としても、同等の効果が得られることは言うまでもない。
【００３４】
また、ルーバー３４は１枚だけでなく、複数枚で構成してもよい。
【００３５】
さらに、ルーバー３４は温風供給口３２と別部品で構成してよく、さらに可動式に構成して、行程によって、風の向きを変えてもよい。
【００３６】
【発明の効果】
以上のように本発明の請求項１に記載の発明によれば、外枠内に支持した外槽と、回転中心軸を鉛直方向に有し前記外槽内に回転自在に配設した内槽と、前記外槽の上部に装着した外槽カバーと、前記外槽カバーに開閉自在に配設した内蓋と、外気を吸気、加熱して前記内槽内に温風を送風する温風送風手段と、前記外槽カバーに形成した温風供給口とを供え、前記温風供給口にはルーバーを形成するようにしたから、これにより製品全高を高くすることなく温風の向きを所定の方向に変えることができ、衣類に効率よく温風を当てることができるため、乾燥効率が高く、設置性が向上した洗濯乾燥機を実現することができる。
【００３７】
また、請求項２に記載の発明によれば、前記ルーバーは、温風供給口と一体で形成するようにしたから、これにより部品点数を増やすことなくルーバーを形成でき、また、ルーバーが外れてしまうといった不具合もないため、信頼性が高く、かつ低コストで温風の向きを変えることができ、衣類に効率よく温風を当てることができるため、乾燥効率の高い洗濯乾燥機を実現することができる。
【００３８】
また、請求項３に記載の発明によれば、前記ルーバーの上部は、温風供給口の側壁部と略平行に形成し、前記ルーバーの下部は、温風供給口の出口部において略傾斜状、または略湾曲状に形成するようにしたから、これにより徐々に風向きを変えられるため、圧力損失を極力抑えながら、効率よく温風の向きを変えることができ、衣類に効率よく温風を当てることができるため、乾燥効率の高い洗濯乾燥機を実現することができる。
【００３９】
また、請求項４に記載の発明によれば、前記ルーバーは、上方から見て前記内槽の略中心方向を向くように形成したから、これにより温風を内槽の略中心に向かって送風することができ、衣類に効率よく温風を当てることができるため、乾燥効率を高い洗濯乾燥機を実現することができる。
【図面の簡単な説明】
【図１】本発明の実施例の洗濯乾燥機の縦断面図
【図２】本発明の実施例の洗濯乾燥機の温風供給口付近の拡大断面図
【図３】本発明の実施例の洗濯乾燥機の外槽カバーの平面図
【図４】従来の洗濯乾燥機の縦断面図
【図５】従来の洗濯乾燥機の温風供給口付近の拡大断面図
【符号の説明】
１　外枠
３　外槽
４　内槽
１５　内蓋
１６　乾燥用送風機（温風送風手段）
１８　ヒータ（温風送風手段）
３１　外槽カバー
３２　温風供給口
３４　ルーバー
【図１】
2004008546.tif 000003
【図２】
2004008546.tif 000004
【図３】
2004008546.tif 000005
【図４】
2004008546.tif 000006
【図５】
2004008546.tif 000007